【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
コンピュータ・サブシステムとＣＤ−ＲＯＭサブシステムを有するディジタルコンピュータであって、コンピュータ・サブシステムが
ディジタルコンピュータ・バスと、ディジタルコンピュータ・バスを介してコマンド及びデータを交換する、中央処理装置（ＣＰＵ）、ランダム・アクセス・メモリ（ＲＡＭ）、ディスプレー、読み取り書き込み大容量記憶装置、手動入力装置及びディジタル・オーディオ発生集積回路（ＩＣ）を含む種々のディジタルコンピュータ・デバイスとを備え、上記ＣＤ−ＲＯＭサブシステムが
ＣＤ−ＲＯＭドライブと
ＣＤ−ＲＯＭドライブに連結され、ＣＤ−ＲＯＭドライブからアナログ・オーディオ信号を受信するオーディオ出力増幅器と
オーディオ・コンパクトディスク（ＣＤ）の再生（リプレイ）中にＣＤ−ＲＯＭドライブの動作を制御する複数のＣＤ−ＲＯＭ制御ボタンと
上記コンピュータ・サブシステムのディジタルコンピュータ・バス、上記ＣＤ−ＲＯＭドライブ及び上記ＣＤ−ＲＯＭ制御ボタンに連結されたオーディオ・インターフェースＩＣと
を備えて成り、該オーディオ・インターフェースＩＣは、
コンピュータ・サブシステムが付勢されて動作する第一の動作モードでＣＤ−ＲＯＭサブシステムが付勢されるとき、コマンド及びデータをコンピュータ・サブシステムのディジタルコンピュータ・バスとＣＤ−ＲＯＭドライブの間で中継し、
コンピュータ・サブシステムが付勢されず、不動作である第二の動作モードでＣＤ−ＲＯＭサブシステムが付勢されるとき、ＣＤ−ＲＯＭ制御ボタンから受信する信号に自律的に応答し、ＣＯ−ＲＯＭドライブにコマンドを送信してＣＤ−ＲＯＭドライブ内に有るオーディオＣＤを演奏（プレイ）するように構成されるディジタルコンピュータ。
【請求項２】
前記ＣＤ−ＲＯＭサブシステムが更に、
オーディオ・インターフェースＩＣから受信する制御信号に応答して動作し、オーディオ・インターフェースＩＣが第一の動作モードで動作するとき、ＣＤ−ＲＯＭドライブのアナログ・オーディオ信号をコンピュータ・サブシステム内のディジタル・オーディオ発生ＩＣに加え、オーディオ・インターフェースＩＣが第二の動作モードで動作するとき、ＣＤ−ＲＯＭドライブのアナログ・オーディオ信号をコンピュータ・サブシステム内のディジタル・オーディオ発生ＩＣから切り離すオーディオ・スイッチ
を備えて成る請求項１に記載のディジタルコンピュータ。
【請求項３】
前記ＣＤ−ＲＯＭサブシステムが更に、
オーディオ・インターフェースＩＣから受信する制御信号に応答して動作し、ＣＤ−ＲＯＭドライブの動作状態を表示するアイコン・ディスプレー
を備えて成る請求項１に記載のディジタルコンピュータ。
【請求項４】
前記ＣＤ−ＲＯＭサブシステムが更に、
オーディオ・インターフェースＩＣから受信する制御信号に応答して動作し、ＣＤ−ＲＯＭドライブ内に有るオーディオＣＤの演奏状態を表示するトラックナンバーディスプレー
を備えて成る請求項１に記載のディジタルコンピュータ。
【請求項５】
第二の動作モードでのオーディオ・インターフェースＩＣの動作中に、ＣＤ−ＲＯＭドライブが所定時間アイドルになっていると、オーディオ・インターフェースＩＣが低電力動作モードに入り、ＣＤ−ＲＯＭドライブを低電圧モードに置く信号をＣＤ−ＲＯＭドライブに送信するように構成される請求項１に記載のディジタルコンピュータ。
【請求項６】
第二の動作モードでのオーディオ・インターフェースＩＣの動作中に、ＣＤ−ＲＯＭドライブが所定時間アイドルになっていると、オーディオ・インターフェースＩＣがＣＤ−ＲＯＭドライブへの電力をオフにするように構成される請求項５に記載のディジタルコンピュータ。
【請求項７】
ＣＤ−ＲＯＭドライブへの電力をオフにしてから、オーディオ出力増幅器への電力をオフにオーディオ・インターフェースＩＣがするように構成される請求項６に記載のディジタルコンピュータ。
【請求項８】
オーディオ・インターフェースＩＣがボリューム制御信号をオーディオ出力増幅器に供給するように構成される請求項１に記載のディジタルコンピュータ。
【請求項９】
コンピュータ・サブシステムが更に、
システム管理バス（ＳＭＢｕｓ）を備えて成り、オーディオ・インターフェースがコマンド及びデータを、ＳＭＢｕｓを介してコンピュータ・サブシステムと交換するように構成される請求項１に記載のディジタルコンピュータ。
【請求項１０】
コンピュータ・サブシステムが付勢されて動作する、オーディオ・インターフェースＩＣの第三の動作モードにおいて、コンピュータ・サブシステム内のＣＰＵにより実行されるコンピュータプログラムが許容するとき、オーディオ・インターフェースＩＣがＣＤ−ＲＯＭ制御ボタンから受信する信号に応答してコマンドをＣＤ−ＲＯＭドライブに送信し、ＣＤ−ＲＯＭ内に有るオーディオＣＤを演奏するように構成される請求項１に記載のディジタルコンピュータ。
【請求項１１】
イネイブル（動作可能）になるとＣＤ−ＲＯＭドライブをコンピュータ・サブシステムのディジタルコンピュータ・バスに連結し、ディスエイブル（動作不能）になるとＣＤ−ＲＯＭドライブをコンピュータ・サブシステムのディジタルコンピュータ・バスから切り離すマルチプレクサをオーディオ・インターフェースＩＣが備えて成り、それにより、コンピュータ・サブシステムが付勢され、動作中であってもＣＤ−ＲＯＭドライブの取り外しと交換が可能になるように構成される請求項１に記載のディジタルコンピュータ。
【請求項１２】
コンピュータ・サブシステムとＣＤ−ＲＯＭサブシステムを有するディジタルコンピュータにおける使用に適したオーディオ・インターフェースＩＣであって、コンピュータ・サブシステムが
ディジタルコンピュータ・バスと、ディジタルコンピュータ・バスを介してコマンド及びデータを交換する、ＣＰＵ、ＲＡＭ、ディスプレー、読み取り書き込み大容量記憶装置及び手動入力装置が含む種々のディジタルコンピュータ・デバイスとを備え、ＣＤ−ＲＯＭサブシステムが
ＣＤ−ＲＯＭドライブと
ＣＤ−ＲＯＭドライブに連結され、ＣＤ−ＲＯＭドライブからアナログ・オーディオ信号を受信するオーディオ出力増幅器と
オーディオＣＤの再生中にＣＤ−ＲＯＭドライブの動作を制御する複数のＣＤ−ＲＯＭ制御ボタンと
を備え、オーディオ・インターフェースＩＣが
オーディオ・インターフェースＩＣをコンピュータ・サブシステムのディジタルコンピュータ・バスに連結できるホストバス・インターフェースと
オーディオ・インターフェースＩＣをＣＤ−ＲＯＭドライブに連結できるＣＤ−ＲＯＭインターフェースと
オーディオ・インターフェースＩＣをＣＤ−ＲＯＭ制御ボタンに連結し、ＣＤ−ＲＯＭボタンから電気信号を受信できる制御ボタン・ロジックと
を備え、オーディオ・インターフェースＩＣは
コンピュータ・サブシステムが付勢されて動作する第一の動作モードでＣＤ−ＲＯＭサブシステムが付勢されるとき、コマンド及びデータをコンピュータ・サブシステムのディジタルコンピュータ・バスとＣＤ−ＲＯＭドライブの間で中継し、
コンピュータ・サブシステムが付勢されず、不動作である第二の動作モードでＣＤ−ＲＯＭサブシステムが付勢されるとき、ＣＤ−ＲＯＭ制御ボタンから受信する信号に自律的に応答し、コマンドをＣＤ−ＲＯＭドライブに送信してＣＤ−ＲＯＭ内に有るオーディオＣＤを演奏するように構成されるオーディオ・インターフェースＩＣ。
【請求項１３】
前記ＣＤ−ＲＯＭサブシステムが更にオーディオ・スイッチを備えて成り、
オーディオ・インターフェースＩＣは制御信号をオーディオ・スイッチに供給して、
オーディオ・インターフェースＩＣが第一の動作モードで動作するとき、ＣＤ−ＲＯＭドライブのアナログ・オーディオ信号をコンピュータ・サブシステム内のディジタル・オーディオ発生ＩＣに加え、
オーディオ・インターフェースＩＣが第二の動作モードで動作するとき、ＣＤ−ＲＯＭドライブのアナログ・オーディオ信号をコンピュータ・サブシステム内のディジタル・オーディオ発生ＩＣから切り離すように構成される請求項１２に記載のオーディオ・インターフェースＩＣ。
【請求項１４】
前記ＣＤ−ＲＯＭサブシステムが更にアイコン・ディスプレーを備えて成り、
オーディオ・インターフェースＩＣがＣＤ−ＲＯＭドライブの動作状態を表示する信号をアイコン・ディスプレーに供給できるように構成される請求項１２に記載のオーディオ・インターフェースＩＣ。
【請求項１５】
前記ＣＤ−ＲＯＭサブシステムが更にトラックナンバーディスプレーを備えて成り、
オーディオ・インターフェースＩＣが制御信号をトラックナンバーディスプレーに供給して、ＣＤ−ＲＯＭ内に有るオーディオＣＤの演奏状態を表示できるように構成される請求項１２に記載のオーディオ／インターフェースＩＣ。
【請求項１６】
第二の動作モードでのオーディオ・インターフェースＩＣの動作中に、ＣＤ−ＲＯＭドライブが所定時間アイドルになっていると、オーディオ・インターフェースＩＣは低電力動作モードに入り、ＣＤ−ＲＯＭドライブを低電圧モードに置く信号をＣＤ−ＲＯＭドライブに送信するように構成される請求項１２に記載のオーディオ・インターフェースＩＣ。
【請求項１７】
第二の動作モードでのオーディオ・インターフェースＩＣの動作中に、ＣＤ−ＲＯＭドライブが所定時間アイドルになっていると、オーディオ・インターフェースＩＣはＣＤ−ＲＯＭドライブへの電力をオフにするように構成される請求項１６に記載のオーディオ・インターフェースＩＣ。
【請求項１８】
ＣＤ−ＲＯＭドライブへの電力をオフにしてから、オーディオ出力増幅器への電力をオフにするように構成される請求項１７に記載のオーディオ・インターフェースＩＣ。
【請求項１９】
オーディオ・インターフェースＩＣがボリューム制御信号をオーディオ出力増幅器に供給するように構成される請求項１２に記載のオーディオ・インターフェースＩＣ。
【請求項２０】
コンピュータ・サブシステムが更に、
システム管理バス（ＳＭＢｕｓ）を備えて成り、オーディオ・インターフェースがコマンド及びデータを、ＳＭＢｕｓを介してコンピュータ・サブシステムと交換するように構成される請求項１２に記載のオーディオ・インターフェースＩＣ。
【請求項２１】
コンピュータ・サブシステムが付勢されて動作する、オーディオ・インターフェースＩＣの第三の動作モードにおいて、コンピュータ・サブシステム内のＣＰＵにより実行されるコンピュータプログラムが許容するとき、オーディオ・インターフェースＩＣがＣＤ−ＲＯＭ制御ボタンから受信する信号に応答してコマンドをＣＤ−ＲＯＭドライブに送信し、ＣＤ−ＲＯＭ内に有るオーディオＣＤを再生させるように構成される請求項１２に記載のオーディオ・インターフェースＩＣ。
【請求項２２】
イネイブル（動作可能）になるとＣＤ−ＲＯＭドライブをコンピュータ・サブシステムのディジタルコンピュータ・バスに連結し、ディスエイブル（動作不能）になるとＣＤ−ＲＯＭドライブをコンピュータ・サブシステムのディジタルコンピュータ・バスから切り離すマルチプレクサをオーディオ・インターフェースＩＣが備えて成り、それにより、コンピュータ・サブシステムが付勢され、動作中であってもＣＤ−ＲＯＭドライブの取り外しと交換が可能になるように構成される請求項１２に記載のオーディオ・インターフェース。
【請求項２３】
ステートマシン回路部（２０２）を含んで成り、信号を発生してＣＤ−ＲＯＭドライブ（１３８）を作動させ、オーディオＣＤを再生できる一集積回路（１０２）を備える装置であって、この集積回路（１０２）が更に、ディジタルコンピュータ・バス（１２８）と上記ＣＤ−ＲＯＭドライブ（１３８）を選択的に連結・切り離しできる回路部を含んで成る装置。
【請求項２４】
前記集積回路（１０２）が、前記ディジタルコンピュータ・バス（１２８）と前記ＣＤ−ＲＯＭドライブ（１３８）を選択的に連結・切り離しできるトランスミッションゲート（４０２）を含んで成る請求項２３に記載の装置。
【請求項２５】
バス・コマンド及びデータを前記ＣＤ−ＲＯＭドライブ（１３８）と交換できるホストバス・インターフェース回路部（２４２）を更に含んで成る請求項２３に記載の装置。
【請求項２６】
システムＣＰＵ、コンピュータ・バス及びＣＤ−ＲＯＭドライブを有するコンピュータシステムと、ステートマシン回路部を含んで成り、信号を発生してＣＤ−ＲＯＭドライブを作動させ、オーディオＣＤを再生できる一集積回路とを備えるシステムであって、該集積回路が更に、上記コンピュータ・バスと上記ＣＤ−ＲＯＭドライブを選択的に連結・切り離しできる回路部を含んで成るシステム。
【請求項２７】
前記集積回路が、前記コンピュータ・バスと前記ＣＤ−ＲＯＭドライブを選択的に連結・切り離しできるトランスミッションゲートを含んで成る請求項２６に記載のシステム。
【請求項２８】
バス・コマンド及びデータを前記ＣＤ−ＲＯＭドライブと交換できるホストバス・インターフェースを更に含んで成る請求項２６に記載のシステム。
【請求項２９】
前記コンピュータ・バスがＰＣＩバスを有して成る請求項２６に記載のシステム。
【請求項３０】
前記集積回路に電気的に連結され、該集積回路が行う動作少なくとも一つを制御できる一つ以上のボタンを更に含んで成る、請求項２６に記載のシステム。
【手続補正２】
【補正対象書類名】明細書
【補正対象項目名】００２７
【補正方法】変更
【補正の内容】
【００２７】
コンピュータ・サブシステム１０４は、コンピュータ１００内の種々のサブシステムを相互に接続する関連入力／出力（Ｉ／Ｏ）バス（例えばＰＣＩバス１１６及びＩＳＡバス１１８）を備える。コンピュータ１００内で、ＣＰＵ１２０（例えばペンティアム・マイクロプロセッサ）がデータをシステム制御器ＩＣ１２２（例えばＮｏｒｔｈｂｒｉｄｇｅとして知られるインテル８２４３９Ｈ×）を介してＩＰＣバス１１６と交換してオンボードＬ２キャッシュを制御する。システム制御器ＩＣ１２２は、ここに引用により挿入されるｈｔｔｐ：／／ｄｅｖｅｌｏｐｅｒ．ｉｎｔｅｌ．ｃｏｍ／ｄｅｓｉｇｎ／ｉｎｔａｒｃｈ／ＴＯＰ−８００．ＨＴＭからコピーを入手し得る書類に記載されている。適当なアダプタ装置を介して、通常ＰＣＩバス１１６によりＣＰＵ１２０はデータをディスプレー１１０や読み取り書き込み大容量記憶装置１１４等の高性能装置と交換することができる。


【手続補正３】
【補正対象書類名】明細書
【補正対象項目名】００２８
【補正方法】変更
【補正の内容】
【００２８】
バスブリッジＩＣ１２４（例えば８２３７１ＳＢ“Ｓｏｕｔｈｂｒｉｄｇｅ”ＩＣ）はＰＣＩバス１１６をＩＳＡバス１１８とＩＤＥバス１２８とに相互接続する。バスブリッジの記述はｈｔｔｐ：／／ｄｅｖｅｌｏｐｅｒ．ｉｎｔｅｌ．ｃｏｍ／ｄｅｓｉｇｎ／ｉｎｔａｒｃｈ／ｅｍｂｄｍｏｄｌ．ｈｔｍから入手でき、これを引用によりここに挿入する。バスブリッジＩＣ１２４は、カリフォルニア州サンタ・クラーラのインテル社から入手できる。適当なアダプタ装置を介して、通常ＩＳＡバス１１８によりＣＰＵ１２０はデータを手動入力装置１１２等の低速装置と交換することができる。しかしながら、コンピュータ１００の特定の構成毎に、ＣＰＵ１２０はデータを読み取り書き込み大容量記憶装置１１４等の高性能装置とＩＳＡバス１１８を介して又は直接ＩＤＥバス１２８を介して交換できる。


【手続補正４】
【補正対象書類名】明細書
【補正対象項目名】００２９
【補正方法】変更
【補正の内容】
【００２９】
コンピュータ．サブシステム１０４内のディジタル・オーディオ発生ＩＣ１３０は、ＩＳＡバス１１８を介して、又は一対の破線１２６で示されているようにＰＣＩバス１１６を介してＣＰＵ１２０と通信する。ディジタル・オーディオ発生ＩＣ１３０は通常のもので、カリフォルニア州フレモントのＥＳＳテクノロジー社により市販されているＭａｅｓｔｒｏ−１ＴＭ又はＭａｅｓｔｒｏ−２ＴＭで良い。


【手続補正５】
【補正対象書類名】明細書
【補正対象項目名】００３０
【補正方法】変更
【補正の内容】
【００３０】
周知のように、ラップトップ又はノート型コンピュータのＣＰＵ１２０内のマイクロプロセッサにより実行されるコンピュータプログラムは通常パワーマネージメントルーチン（ＰＭＲｓ）を備える。適切な動作条件下では、ＰＭＲｓはコンピュータ１００を、ＡＣＰＩ仕様に付き前述のもの等の数種の電力管理動作モードの一つに置く。コンピュータ１００を種々の電力管理動作モードの一つに置くコンピュータプログラムは当業者により作成でき、本発明のどの部分をも構成しない。これ等種々の電力管理動作モードの各々は対応するバッテリー電力要件により特徴付けられる。例えば、ＡＣＰＩ仕様の電流管理状態に対する電流需要は次の表に述べるもので良い。


【手続補正６】
【補正対象書類名】明細書
【補正対象項目名】００３２
【補正方法】変更
【補正の内容】
【００３２】
ＣＤ−ＲＯＭサブシステム１０６
ＣＤ−ＲＯＭサブシステム１０６は、本発明によるオーディオ・インターフェースＩＣ１０２と、ＣＤ−ＲＯＭドライブ１３８、ＣＤ−ＲＯＭ制御ボタン１４２、アイコン液晶ディスプレー（ＬＣＤ）１４４、トラック数（ナンバー）ディスプレー１４７、オーディオ出力増幅器（アンプ）１４６及びオーディオ出力変換器１４８、例えばスピーカー又はヘッドフォーンを備える。ＣＤ−ＲＯＭ制御ボタン１４２は制御ボタン・バス１４３を介してオーディオ・インターフェースＩＣ１０２に接続し、オーディオＣＤを再生（プレイ）、中断するボタンとオーディオＣＤを速送りするボタンとオーディオＣＤを巻戻しするボタンとオーディオＣＤを停止又はイジェクトするボタンを含む。斯くして、ＣＤ−ＲＯＭ制御ボタン１４２によりコンピュータのユーザーは、オーディオＣＤを再生しながらＣＤ−ＲＯＭドライブ１３８の動作を完全に制御することができるようになる。ＣＤ−ＲＯＭドライブ１３８は、オーディオ・インターフェースＩＣ１０２で始まるＩＤＥバス延長部１２９を通して提供される通常のＡＴＡＰＩインターフェース指令で動作可能な通常のＣＤ−ＲＯＭドライブである。ＣＤ−ＲＯＭサブシステム１０６はまた、左右チャネルのステレオオーディオ信号をオーディオ出力増幅器１４６に直接供給するオーディオ信号バス１５２を備える。


【手続補正７】
【補正対象書類名】明細書
【補正対象項目名】００３３
【補正方法】変更
【補正の内容】
【００３３】
オーディオ・インターフェースＩＣ１０２から受信する制御信号に応答して動作するオーディオ・スイッチ１５４は、コンピュータ１００の動作モードに応じて、左右チャネル・ステレオ・オーディオ信号をコンピュータ・サブシステム１０４内のディジタル・オーディオ発生ＩＣ１３０に加える。コンピュータ・サブシステム１０４が付勢されていないとき、コンピュータ・サブシステム１０４に含まれるＩＣ内の遺漏電流により生ずる電力消費を低減するため、
１．オーディオ・スイッチ１５４がオーディオ信号バス１５２をＣＤ−ＲＯＭドライブ１３８から電気的に切り離し、且つ
２．それに対応して、オーディオ・インターフェースＩＣ１０２がそれ自体をＩＤＥバス１２８から切り離す。


【手続補正８】
【補正対象書類名】明細書
【補正対象項目名】００３６
【補正方法】変更
【補正の内容】
【００３６】
コンピュータ・サブシステム１０４とＣＤ−ＲＯＭサブシステム１０６は何れも、図示されていないバッテリーから直接電力を受け取る。オーディオＣＤを再生するコンピュータ１００の動作モードに応じて、ＣＤ−ＲＯＭサブシステム１０６だけを付勢するようにしても、コンピュータ・サブシステム１０４とＣＤ−ＲＯＭサブシステム１０６の両方を付勢するようにしても良い。コンピュータ・サブシステム１０４が電力を受け取らない場合、ＣＤ−ＲＯＭドライブ１３８の動作はＣＤ−ＲＯＭドライブ１３８を制御するオーディオ・インターフェースＩＣ１０２発生信号により、ＣＤ−ＲＯＭサブシステム１０６内で完全に行われる。コンピュータ・サブシステム１０４が付勢されて動作する場合には、ＣＤ−ＲＯＭドライブ１３８の動作は、ＣＰＵ１２０により実行されるコンピュータプログラムから受け取る信号によりオーディオ・インターフェースＩＣ１０２を介して行うことができる。


【手続補正９】
【補正対象書類名】明細書
【補正対象項目名】００３７
【補正方法】変更
【補正の内容】
【００３７】
コンピュータ・サブシステム１０４とＣＤ−ＲＯＭサブシステム１０６間の相互接続
オーディオ・インターフェースＩＣ１０２はＩＤＥバス１２８とＳＭＢｕｓ１６２を通して、ＣＰＵ１２０により実行されるコンピュータプログラムと指令及びデータを交換する。コンピュータ・サブシステム１０４はまた、コンピュータ１００の動作モードに応じて、ＣＤ−ＲＯＭドライブ１３８からの左右オーディオ信号をディジタル・オーディオ発生ＩＣ１３０に供給する。コンピュータ・サブシステム１０４が付勢されて動作するコンピュータ１００の動作中、オーディオ・インターフェースＩＣ１０２は指令及びデータをコンピュータ・サブシステム１０４とＣＤ−ＲＯＭドライブ１３８との間で中継する。コンピュータ・サブシステム１０４がＣＤ−ＲＯＭドライブ１３８と交換する指令とデータは、当業者に良く知られている。


【手続補正１０】
【補正対象書類名】明細書
【補正対象項目名】００３８
【補正方法】変更
【補正の内容】
【００３８】
オーディオ・インターフェースＩＣ１０２の一般的記述
次に、図２に示されたオーディオ・インターフェースＩＣ１０２の詳細なブロック図を参照して、オーディオ・インターフェースＩＣ１０２はステートマシン２０２を備え、これがオーディオ・インターフェースＩＣ１０２の全体の動作を制御する。ステートマシン２０２をオーディオ・インターフェースＩＣ１０２に設けると、プログラム制御器より良好な性能が得られる。ステートマシン２０２は内部バス２０４を介して、ＳＭＢｕｓインターフェース２０６とレジスタブロック２０８とＬＣＤ制御部２１２とクロック発生器２１４に接続する。


【手続補正１１】
【補正対象書類名】明細書
【補正対象項目名】００３９
【補正方法】変更
【補正の内容】
【００３９】
ＳＭＢｕｓ１６２に連結されたＳＭＢｕｓインターフェース２０６は、コンピュータ１００のユーザーがＣＤ−ＲＯＭ制御ボタン１４２の何れかを押すと何時でも、ＩＮＴＮピン２２２から割り込み信号を出力する。ＩＮＴＮピン２２２をＳＭＢｕｓ１６２のＳＭＢｕｓアラート信号線に接続すると有利である。ＳＭＢｕｓアラート信号を受信すると、ＣＰＵ１２０により実行されるコンピュータプログラムは、ＳＭＢｕｓ１６２を介してオーディオ・インターフェースＩＣ１０２内のレジスタブロック２０８を尋問し、ＣＤ−ＲＯＭ制御ボタン１４２の何れが押されたかを決定することができる。


【手続補正１２】
【補正対象書類名】明細書
【補正対象項目名】００４２
【補正方法】変更
【補正の内容】
【００４２】
コンピュータ・サブシステム１０４が付勢されると、オーディオ・インターフェースＩＣ１０２に含まれるホストＩＤＥインターフェース２４２は電気信号を、同じくオーディオ・インターフェースＩＣ１０２に含まれるＩＤＥ信号マルチプレクサ２４４を介してＩＤＥバス１２８とＩＤＥバス延長部１２９の間に加える。ＩＤＥバス１２８とＩＤＥバス延長部１２９の間に加えられる電気信号は、ＣＰＵ１２０により実行させるコンピュータプログラムとＣＤ−ＲＯＭドライブとの間で指令とデータの交換を行う。しなしながら、ＣＤ−ＲＯＭサブシステム１０６のみが付勢されている場合は、ステートマシン２０２が電気信号を、ＩＤＥ信号マルチプレクサ２４４を介してＩＤＥバス延長部１２９と交換する。そして、上記のように、コンピュータ・サブシステム１０４が付勢されていなければ、ホストＩＤＥインターフェース２４２はオーディオ・インターフェースＩＣ１０２をコンピュータ・サブシステム１０４のＩＤＥバス１２８から電気的に切り離し、ＣＤ−ＲＯＭサブシステム１０６からコンピュータ・サブシステム１０４に流れる遺漏電流をできるだけ低減する。次に示す表は、ステートマシン２０２がＩＤＥ信号マルチプレクサ２４４とＩＤＥバス延長部１２９を介してＣＤ−ＲＯＭドライブ１３８に送信できる、ＡＴＡＰＩプロトコルによる指令を列挙するものである。


【手続補正１３】
【補正対象書類名】明細書
【補正対象項目名】００４４
【補正方法】変更
【補正の内容】
【００４４】
ステートマシン２０２はまた一対の信号を、モード制御信号バス２４６を介してオーディオ・インターフェースＩＣ１０２から送信する。ステートマシン２０２がモード制御信号バス２４６に供給するモード信号は、オーディオ・インターフェースＩＣ１０２が動作中で、ＣＤ−ＲＯＭ制御ボタン１４２から信号を受信していることを表示する。ステートマシン２０２がモード制御信号バス２４６に供給する電力制御信号は、ＣＤ−ＲＯＭドライブ１３８が動作中又はさっきまで動作していたか、或いはＣＤ−ＲＯＭドライブ１３８がさっきまでも動作していなかったかの何れかを表示する。この信号はＣＤ−ＲＯＭサブシステム１０６内で、ＣＤ−ＲＯＭドライブ１３８及び／又はオーディオ出力増幅器１４６への電力の供給を適切に制御するのに用いることができる。


【手続補正１４】
【補正対象書類名】明細書
【補正対象項目名】００５１
【補正方法】変更
【補正の内容】
【００５１】
コマンド制御レジスタ２０８ｄの低次数バイト内のソフトウェア・プログラマブルビット０、１及び２に記憶されたそれぞれの状態は、コンピュータ・サブシステム１０４が付勢されるときオーディオ・インターフェースＩＣ１０２の動作を制御するデータを記憶する。オーディオ・インターフェースＩＣ１０２がイネイブルになって、上記のように、ＣＤ−ＲＯＭ制御ボタン１４２を押して制御ボタンチェンジレジスタ２０８ｂ内のビットに割り当てられたデータが特定する機能の単一インスタンスを実行しているかどうか制御するデータを、コマンド制御レジスタ２０８ｄ内のビット２０８ｄａ０が記憶する。ＣＤ−ＲＯＭ制御ボタン１４２を押すことにより制御ボタンチェンジレジスタ２０８ｂ内のビットに割り当てられたデータ値が特定する機能をオーディオ・インターフェースＩＣ１０２が実行するのを阻止するデータを、ビット２０８ｄａ１が記憶する。ＣＤ−ＲＯＭ制御ボタン１４２を押すことにより制御ボタンチェンジレジスタ２０８ｂ内のビットに割り当てられたデータ値が特定する機能の単一インスタンスをオーディオ・インターフェースＩＣ１０２が実行したかどうかを表示するデータを、ビット２０８ｄａ２が記憶する。


【手続補正１５】
【補正対象書類名】明細書
【補正対象項目名】００５５
【補正方法】変更
【補正の内容】
【００５５】
動作モード
コンピュータ・サブシステム１０４が付勢されて動作している場合、ＣＤ−ＲＯＭサブシステムの一動作モードにおいてオーディオ・インターフェースＩＣ１０２はＩＤＥバス１２８とＣＤ−ＲＯＭドライブ１３８の間でコマンドとデータを透過的に中継する。図４は、コンピュータ・サブシステム１０４が付勢されず、ＣＤ−ＲＯＭサブシステム１０６が始めに、或いはオーディオ・インターフェースＩＣ１０２が動作モードバス２２６から受信される信号でリセットされた直後に付勢されるとき、オーディオ・インターフェースＩＣ１０２は図４に示された初期化状態に入る。


【手続補正１６】
【補正対象書類名】明細書
【補正対象項目名】００６３
【補正方法】変更
【補正の内容】
【００６３】
図６は、ＩＤＥバス１２８とＩＤＥバス延長部１２９とオーディオ・インターフェースＩＣ１０２の間をインターフェースする優先的回路を示す。オーディオ・インターフェースＩＣ１０２のホストＩＤＥインターフェース２４２とＩＤＥ信号マルチプレクサ２４４は通常のＩＣ、Ｉ／Ｏバッファーを用いても良いが、かかる通常の回路はＩＤＥバス１２８とＩＤＥバス延長部１２９の間で、オーディオ・インターフェースＩＣ１０２を通過する信号をかなり遅延させることになる。ホストＩＤＥインターフェース２４２とＩＤＥ信号マルチプレクサ２４４に従来のＩＣ、Ｉ／Ｏバッファー回路を用いる代わりに、図６に示す優先回路ではＩＤＥバス１２８とＩＤＥバス延長部１２９の間にトランスミッションゲート４０２を介在させて用い、両者の連結・切り離しを選択的に行えるようにする。通常のＩＣのＩ／Ｏバッファーを用いず、トランスミッションゲート４０２を用いると、ＩＤＥバス１２８とＩＤＥバス延長部１２９の間でオーディオ・インターフェースＩＣ１０２を通過する信号の遅延が有意に減少することができる。


【手続補正１７】
【補正対象書類名】明細書
【補正対象項目名】００６４
【補正方法】変更
【補正の内容】
【００６４】
トランスミッションゲート４０２と同様に、ＩＤＥバス延長部１２９からステートマシン２０２への信号に対しても、ステートマシン２０２の入力バッファー４０４への連結・切り離しを、ステートマシン２０２の発生する信号にトランスミッションゲート４０６が応答して選択的に行う。また、ステートマシン２０２からＩＤＥバス延長部１２９への信号は、ステートマシン２０２の供給する制御信号により出力ドライバー４０８がイネイブルとなって、出力ドライバー４０８を通過するようにする。ステートマシン２０２とＩＤＥバス延長部１２９の間で信号を交換するこの優先的構成によれば、ＣＤ−ＲＯＭドライブ１３８が外され、これに代わって別のデバイスがＩＤＥバス１２８に連結される等の或る種の緊急の場合に際し、コンピュータ・サブシステム１０４とＣＤ−ＲＯＭサブシステム１０６から電力を除去することなく、ＩＤＥバス延長部１２９上の入力信号からステートマシン２０２を切り離すこともできる。


【手続補正１８】
【補正対象書類名】明細書
【補正対象項目名】００６５
【補正方法】変更
【補正の内容】
【００６５】
トランスミッションゲート４０２と入力バッファー４０４とトランスミッションゲート４０６と出力ドライバー４０８は集合して、図６の例示では破線４１２内に囲まれたアナログ・マルチプレクサを構成する。アナログ・マルチプレクサ４１２をイネイブル動作（動作可能に）すると、ＩＤＥバス延長部１２９とＩＤＥバス１２８又はステートマシン２０２間で信号を交換することができる。アナログ・マルチプレクサ４１２をディスエイブル動作（動作不能に）すると、ＩＤＥバス延長部１２９をＩＤＥバス１２８とステートマシン２０２の両者から切り離すことができる。アナログ・マルチプレクサ４１２をオーディオ・インターフェースＩＣ１０２に含むことにより、ＣＤ−ＲＯＭドライブ１３８、ハードディスク、ディジタル・ビデオディスク（ＤＶＤ）ドライブ、ＺＩＰドライブ又はスーパーディスク（Ｓｕｐｅｒｄｉｓｋ）等の種々のＩＤＥデバイスを完全操作コンピュータ１００のＩＤＥバス延長部１２９と接続、又はこれより分離することができる。


【手続補正１９】
【補正対象書類名】明細書
【補正対象項目名】００６６
【補正方法】変更
【補正の内容】
【００６６】
アナログ・マルチプレクサ４１２を動作可能又は動作不能にするのは、オーディオ・インターフェースＩＣ１０２内のマルチプレクサ制御部４１４から加えられる信号である。マルチプレクサ制御部４１４は、この制御信号をトランスミッションゲート制御ライン４１６を介してトランスミッションゲート４０２及び４０６に送る。アナログ・マルチプレクサ４１２の動作不能化のため、マルチプレクサ制御部４１４はＳＭＢｕｓ１６２を介してソフトウェアデータを受信する。アナログ・マルチプレクサ４１２の動作可能化のためには、マルチプレクサ制御部４１４は、タッチダウン信号ライン４１８を介するハードウェア信号と、ＳＭＢｕｓ１６２を介するソフトウェアデータとの一方又は両方を受信すれば良い。マルチプレクサ制御部４１４はまた、ステートマシン２０２からマルチプレクサ制御信号選択バス４２２を介して信号を受信する。ステートマシン２０２からマルチプレクサ制御信号選択バス４２２を介してマルチプレクサ制御部４１４に供給される信号により、マルチプレクサ制御部４１４の動作可能化がタッチダウン信号ライン４１８を介して供給される信号によるか、或いはＳＭＢｕｓ１６２を介してマルチプレクサ制御部に供給されるデータによるかが決定される。


【手続補正２０】
【補正対象書類名】明細書
【補正対象項目名】００６７
【補正方法】変更
【補正の内容】
【００６７】
従って、図３に示されているように、優先するアナログ・マルチプレクサ４１２を用いるオーディオ・インターフェースＩＣ１０２のレジスタブロック２０８は、電力レジスタ２０８ｃの低次数バイトに位置するソフトウェア・プログラマブルビット２０８ｃａ３を備える。ビット２０８ｃａ３をセットすると、マルチプレクサ制御部４１４のソフトウェアデータ制御部がＳＭＢｕｓ１６２を介して活動状態になり、ビット２０８ｃａ３をリセットすると、マルチプレクサ制御部４１４のハードウェア可能化を起動する。マルチプレクサ制御部４１４のフトウェア不能化、可能化のため、電力レジスタ２０８ｃの低次数バイトはソフトウェア・プログラマブルビット２０８ｃａ２をも備え、これがセットされてトランスミッションゲート４０２及び４０６を動作可能にする。逆に、ビット２０８ｃａ２はリセットされてトランスミッションゲート４０２及び４０６の動作を不能にする。


【手続補正２１】
【補正対象書類名】明細書
【補正対象項目名】００６８
【補正方法】変更
【補正の内容】
【００６８】
ＩＤＥバス延長部１２９に或デバイスが接続されてコンピュータ１００が完全作動可能状態にあるとき、手動入力装置１１２の一つを用いユーザーはＣＰＵ１２０により実行されるコンピュータプログラムに、ＩＤＥバス延長部１２９に接続されたこのデバイスを開放するよう指令することができる。それに応答して、コンピュータ１００はアナログ・マルチプレクサ４１２がＩＤＥバス延長部１２９をＣＤ−ＲＯＭサブシステム１０６の残部から切り離し、次いでデバイスを機械的に開放してコンピュータ１００から物理的に取り外せるようにする。次いで、或デバイスをコンピュータ１００内に挿入し、これをＩＤＥバス延長部１２９に接続すると、このデバイスはコンピュータ１００に機械的にロックされ、ハードウェア信号又はソフトウェアデータに応答してオーディオ・インターフェースＩＣ１０２はＩＤＥバス延長部１２９をＣＤ−ＲＯＭサブシステム１０６の残部に再連結し、それによりコンピュータ１００を完全動作に戻すことができる。